(57)【特許請求の範囲】
【請求項１】
ディーゼルエンジンで排気ガス中のＨＣ，ＣＯ，ＮＯxの同時低減を図るための排気浄化装置であって、ターボチャージャのタービンより下流の排気通路から排気ガスの一部を抜き出して前記ターボチャージャのコンプレッサより上流の吸気通路へ再循環する低圧ループと、排気マニホールドから排気ガスの一部を抜き出して吸気マニホールドの入口付近に再循環する高圧ループと、これら低圧ループ及び高圧ループの夫々に備えられて排気ガスの再循環量を調整する再循環量調整手段と、前記排気通路の途中に備えられた三元触媒と、前記各再循環量調整手段及び前記ディーゼルエンジンの燃料噴射装置を制御する制御装置とを備え、該制御装置は、前記各再循環量調整手段を制御して低圧ループで加速時に黒煙を生じない程度に抑えたＥＧＲ率でベースとなる排気ガス再循環を実施し且つ高圧ループでは不足ＥＧＲ率分を補足するべく追加の排気ガス再循環を実施することで空燃比を理論空燃比近傍に抑制すると共に、前記燃料噴射装置を制御してメイン噴射直後の着火可能なタイミングでアフタ噴射を実施することで該アフタ噴射による未燃燃料分の増加とその一部の酸化反応による酸素消費とにより空燃比を理論空燃比まで下げるように構成されていることを特徴とする排気浄化装置。
【請求項２】
三元触媒がＨＣを吸着し得るようゼオライト又はマグネシアを触媒原料として含んでいることを特徴とする請求項１に記載の排気浄化装置。
【請求項３】
三元触媒より上流側の排気管内に燃料を直接噴射する燃料添加手段が備えられ、制御装置が必要に応じて前記燃料添加手段による燃料添加を実施し得るように構成されていることを特徴とする請求項１又は２に記載の排気浄化装置。
【請求項４】
吸入空気量を絞り込む吸気絞り手段が備えられ、制御装置が必要に応じて前記吸気絞り手段による吸入空気量の絞り込みを実施し得るように構成されていることを特徴とする請求項１、２又は３に記載の排気浄化装置。
【請求項５】
三元触媒の後段にパティキュレートフィルタが備えられていることを特徴とする請求項１〜４の何れかに記載の排気浄化装置。
【発明の詳細な説明】
【技術分野】
【０００１】
本発明は、排気浄化装置に関するものである。
【背景技術】
【０００２】
排気系に装着されて排気ガス中のＨＣ，ＣＯ，ＮＯxを同時に低減させる触媒として三元触媒が従来から知られており、該三元触媒における反応では、ＨＣ及びＣＯの酸化にＮＯxのＯ2が使われ、該ＮＯxがＮ2に還元されると共に、前記ＨＣ及びＣＯが酸化されてＣＯ2と水（Ｈ2Ｏ）になるので、有害三成分が同時に無害化されることになる。
【０００３】
ただし、三元触媒には、Ｏ2が過不足なく燃料を燃焼させる空燃比、即ち、理論空燃比（ストイキオメトリ）でないと十分な効果が発揮されないという短所があり、排気ガスの残存酸素量が多いディーゼルエンジンで三元触媒は使用されておらず、主としてガソリンエンジンに適用されているのが実情である。
【０００４】
因みに、ディーゼルエンジンでは、単純に燃料の噴射量を増やして空気過剰率（λ）を１程度（理論空燃比）にしても気筒内での燃焼が失火してしまうという不具合があり、また、失火直前の状態にあってもＣＯ，ＨＣがそれほど増えないという不具合もあるため、三元触媒を用いてＨＣ，ＣＯ，ＮＯxの同時低減を図ることは不可能と考えられている。
【０００５】
図２は従来におけるディーゼルエンジンに適用した排気浄化装置の一例を示すもので、ここに図示している例では、ディーゼルエンジン１から排気マニホールド２を介して排出される排気ガス３が流通する排気管４の途中に、酸素共存下でも選択的にＮＯxをアンモニアと反応させ得る性質を備えた選択還元型触媒５が装備されている。
【０００６】
そして、この選択還元型触媒５より上流側の排気管４に、尿素水６を還元剤として噴射する尿素水添加用インジェクタ７（尿素水添加手段）が設置されていると共に、前記選択還元型触媒５の直後には、リークアンモニア対策として余剰のアンモニアを酸化処理するＮＨ3スリップ触媒８が装備されている。
【０００７】
また、前記尿素水添加用インジェクタ７による尿素水６の添加位置より上流側の排気管４に、排気ガス３中の未燃燃料分を酸化処理する機能を高めた酸化触媒９が装備されていると共に、該酸化触媒９の直後には、自身にも酸化触媒を一体的に担持したパティキュレートフィルタ１０が装備されている。
【０００８】
斯かる排気浄化装置によれば、尿素水添加用インジェクタ７から尿素水６が噴射されて排気ガス３中でアンモニアと炭酸ガスに熱分解され、活性下限温度以上の温度条件下で活性状態となっている選択還元型触媒５上で排気ガス３中のＮＯxがアンモニアと効果的に反応して良好に還元浄化されることになる。
【０００９】
また、ここに図示している例では、選択還元型触媒５の上流側にパティキュレートフィルタ１０が装備されているので、該パティキュレートフィルタ１０により排気ガス３中のパティキュレートが捕集されて除去され、パティキュレートの堆積量が所定量に達した際に、ディーゼルエンジン１側でメイン噴射に続いて圧縮上死点より遅い非着火のタイミングでポスト噴射を実施すると、このポスト噴射により排気ガス３中に未燃の燃料（主としてＨＣ：炭化水素）が添加され、この未燃の燃料が酸化触媒９を通過する間に酸化反応し、その反応熱で昇温した排気ガス３の流入により後段のパティキュレートフィルタ１０の触媒床温度が上げられてパティキュレートが強制的に燃焼除去される。
【００１０】
尚、この種の尿素水を還元剤として排気ガス中のＮＯxを還元浄化する選択還元型触媒を備えた排気浄化装置に関連する先行技術文献情報としては下記の特許文献１等がある。
【先行技術文献】
【特許文献】
【００１１】
【特許文献１】特開２００４−２３９１０９号公報
【発明の概要】
【発明が解決しようとする課題】
【００１２】
しかしながら、斯かる従来の排気浄化装置においては、ＮＯxの還元浄化を行うために尿素水６の添加が必要であるため、この尿素水６を貯留しておくための尿素水タンク１１や尿素水供給管１２、供給ポンプ１３といった付帯設備が必要となり、設備コストが高くつくという問題があり、また、尿素水タンク１１が空にならないように尿素水６を随時補給しなければならないという手間もかかった。
【００１３】
本発明は上述の実情に鑑みてなしたもので、ディーゼルエンジンでも三元触媒を適用し得るようにして尿素水タンクや尿素水供給管、供給ポンプといった付帯設備を不要とし、尿素水の補給といった手間も省けるようにした排気浄化装置を提供することを目的とする。
【課題を解決するための手段】
【００１４】
本発明は、ディーゼルエンジンで排気ガス中のＨＣ，ＣＯ，ＮＯxの同時低減を図るための排気浄化装置であって、ターボチャージャのタービンより下流の排気通路から排気ガスの一部を抜き出して前記ターボチャージャのコンプレッサより上流の吸気通路へ再循環する低圧ループと、排気マニホールドから排気ガスの一部を抜き出して吸気マニホールドの入口付近に再循環する高圧ループと、これら低圧ループ及び高圧ループの夫々に備えられて排気ガスの再循環量を調整する再循環量調整手段と、前記排気通路の途中に備えられた三元触媒と、前記各再循環量調整手段及び前記ディーゼルエンジンの燃料噴射装置を制御する制御装置とを備え、該制御装置は、前記各再循環量調整手段を制御して低圧ループで加速時に黒煙を生じない程度に抑えたＥＧＲ率でベースとなる排気ガス再循環を実施し且つ高圧ループでは不足ＥＧＲ率分を補足するべく追加の排気ガス再循環を実施することで空燃比を理論空燃比近傍に抑制すると共に、前記燃料噴射装置を制御してメイン噴射直後の着火可能なタイミングでアフタ噴射を実施することで該アフタ噴射による未燃燃料分の増加とその一部の酸化反応による酸素消費とにより空燃比を理論空燃比まで下げるように構成されていることを特徴とするものである。
【００１５】
而して、このようにすれば、低圧ループ側でベースとなる排気ガス再循環が実施され、高圧ループ側では不足ＥＧＲ率分を補足するべく追加の排気ガス再循環が実施されるので、低圧ループと高圧ループの併用により高いＥＧＲ率が実現され、空燃比を理論空燃比近傍に抑制することが可能となる。
【００１６】
即ち、高圧ループ側で分担しなければならない排気ガスの再循環量が高圧ループの単独使用の場合よりも少なくて済み、可変ノズル式のターボチャージャ等で無理な排気ガスの絞り込みを行わなくても、高圧ループ側で分担すべき量の排気ガス再循環が比較的容易に実現されることになる。
【００１７】
これまで高いＥＧＲ率で排気ガスを再循環するのに低圧ループが採用されてこなかったのは、走行中に運転者によりアクセルが踏み込まれて加速状態に入った場合に、空気過剰率が急激に低下して黒煙が発生し易かったからである。
【００１８】
即ち、低圧ループにおいては、ターボチャージャのコンプレッサより上流の吸気通路へ排気ガスが戻されるが、ここからコンプレッサ、インタークーラ、吸気マニホールドを経てエンジンに到るまでの経路が長く、この長い経路に排気ガスの混合した吸気が存在することになるため、加速時にアクセルの踏み込みに即応して燃料噴射量が増加した場合に、低圧ループの再循環量調整手段を直ちに閉じても、前記長い経路中の排気ガス混じりの吸気が全て使い切られるまで空気過剰率の低い状態が持続して黒煙が発生し易いという欠点がある。
【００１９】
これに対し、高圧ループにおいては、吸気マニホールドの入口付近に排気ガスが戻されるので、排気ガスの混合した吸気は吸気マニホールド内にしか存在せず、加速時に燃料噴射量が増加しても、高圧ループの再循環量調整手段を閉じれば、吸気マニホールド内の排気ガス混じりの吸気が程無く使い切られて空気過剰率が早期に回復するので、加速時における黒煙の発生を回避し易いという利点がある。
【００２０】
本発明の場合には、低圧ループと高圧ループとを併用し、加速時に黒煙を生じない程度に抑えたＥＧＲ率で低圧ループによりベースとなる排気ガス再循環を実施しているにすぎないので、加速時に高圧ループ側の排気ガスの再循環量を即時低減することで黒煙の発生を未然に回避することが可能である。
【００２１】
そして、このように低圧ループと高圧ループとにより多量の排気ガスが再循環されて空燃比が理論空燃比近傍に抑制された条件下で、ディーゼルエンジンでのメイン噴射直後の着火可能なタイミングでアフタ噴射が実施されると、該アフタ噴射による未燃燃料分の増加とその一部の酸化反応による酸素消費とにより空燃比が理論空燃比まで下げられ、ディーゼルエンジンでも三元触媒を機能させてＨＣ，ＣＯ，ＮＯxの同時低減を図ることが可能となる。
【００２２】
更に、本発明においては、三元触媒がＨＣを吸着し得るようゼオライト又はマグネシアを触媒原料として含んでいることが好ましく、このようにすれば、過渡運転時等に空燃比が一時的に理論空燃比より大きくなっても、三元触媒に吸着されているＨＣにより該三元触媒の表面雰囲気を理論空燃比に保持してＨＣ，ＣＯ，ＮＯxを同時低減する反応を継続させることが可能となる。
【００２３】
また、本発明においては、三元触媒より上流側の排気管内に燃料を直接噴射する燃料添加手段が備えられ、制御装置が必要に応じて前記燃料添加手段による燃料添加を実施し得るように構成されていることが好ましく、更には、吸入空気量を絞り込む吸気絞り手段が備えられ、制御装置が必要に応じて前記吸気絞り手段による吸入空気量の絞り込みを実施し得るように構成されていても良い。
【００２４】
このようにすれば、ディーゼルエンジンの運転状況に応じて燃料添加手段により排気管内に燃料を直接噴射して未燃燃料分を補ったり、吸気絞り手段により吸入空気量を絞り込んだりすることで空燃比の低下を助勢することが可能となり、これら燃料添加手段及び吸気絞り手段を適宜に併用することで過剰なアフタ噴射を回避することが可能となる。
【００２５】
また、本発明においては、三元触媒の後段にパティキュレートフィルタが備えられていることが好ましく、このようにすれば、パティキュレートフィルタにより排気ガス中のパティキュレートが捕集されて除去されることになり、しかも、そのパティキュレートの堆積量が所定量に達した際に、前記燃料添加手段等を利用して燃料を添加すれば、この未燃の燃料が三元触媒を通過する間に酸化反応し、その反応熱で昇温した排気ガスの流入により後段のパティキュレートフィルタの触媒床温度が上げられてパティキュレートが強制的に燃焼除去されることになる。
【発明の効果】
【００２６】
上記した本発明の排気浄化装置によれば、下記の如き種々の優れた効果を奏し得る。
【００２７】
（Ｉ）本発明の請求項１に記載の発明によれば、ディーゼルエンジンでも空燃比を理論空燃比まで下げて三元触媒を機能させることができるので、尿素水タンクや尿素水供給管、供給ポンプといった付帯設備を不要とすることができて設備コストの大幅な削減を図ることができ、しかも、尿素水の補給といった手間も省くことができて運転者の負担を著しく軽減することができる。
【００２８】
（ＩＩ）本発明の請求項２に記載の発明によれば、過渡運転時等に空燃比が一時的に理論空燃比より大きくなっても、三元触媒に吸着されているＨＣにより該三元触媒の表面雰囲気を理論空燃比に保持してＨＣ，ＣＯ，ＮＯxを同時低減する反応を継続させることができるので、三元触媒のＨＣ，ＣＯ，ＮＯxを同時低減する反応の継続性を大幅に向上することができる。
【００２９】
（ＩＩＩ）本発明の請求項３，４に記載の発明によれば、ディーゼルエンジンの運転状況に応じて燃料添加手段により排気管内に燃料を直接噴射して未燃燃料分を補ったり、吸気絞り手段により吸入空気量を絞り込んだりすることで空燃比の低下を助勢することができるので、これら燃料添加手段及び吸気絞り手段を適宜に併用することで過剰なアフタ噴射を回避することができ、過剰なアフタ噴射により燃料がオイルに混入して該オイルが希釈してしまうことを防止することができる。
【００３０】
（ＩＶ）本発明の請求項５に記載の発明によれば、排気ガス中のパティキュレートをパティキュレートフィルタにより捕集して除去することができ、しかも、三元触媒をパティキュレートフィルタの強制再生のための酸化触媒の替わりに使うことで従来通りの燃料添加によるパティキュレートフィルタの再生を行うことができ、パティキュレートフィルタの強制再生のための酸化触媒を新たに設けなくて済むことで全体構成のコンパクト化を図ることができる。
【図面の簡単な説明】
【００３１】
【図１】本発明を実施する形態の一例を示す概略図である。
【図２】従来例を示す概略図である。
【発明を実施するための形態】
【００３２】
以下本発明の実施の形態を図面を参照しつつ説明する。
【００３３】
図１は本発明を実施する形態の一例を示すもので、図２と同一の符号を付した部分は同一物を表わしている。
【００３４】
ここに図示している例では、ディーゼルエンジン１がターボチャージャ１４を備えており、図示しないエアクリーナから導かれた吸気１５が吸気管１６を通し前記ターボチャージャ１４のコンプレッサ１４ａへと送られ、該コンプレッサ１４ａで加圧された吸気１５がインタークーラ１７へと送られて冷却され、該インタークーラ１７から更に吸気マニホールド１８へと吸気１５が導かれてディーゼルエンジン１の各気筒１９に分配されるようになっている。
【００３５】
更に、このディーゼルエンジン１の各気筒１９から排出された排気ガス３は、排気マニホールド２を介しターボチャージャ１４のタービン１４ｂへと送られ、該タービン１４ｂを駆動した排気ガス３が排気管４を介し車外へ排出されるようにしてあり、該排気管４の途中には、理論空燃比（ストイキオメトリ）でＨＣ，ＣＯ，ＮＯxの同時低減化を図り得る三元触媒２０と、該三元触媒２０の直後に配置されたパティキュレートフィルタ１０とが装備されている。
【００３６】
ここで、前記三元触媒２０は、ＨＣを吸着し得るようゼオライトやマグネシア等を触媒原料として含んでおり、排気ガス３中に含まれるＨＣを吸着して三元触媒２０上に保持し得るようになっていて、過渡運転時等に空燃比が一時的に理論空燃比より大きくなっても、三元触媒に吸着されているＨＣによりＨＣ，ＣＯ，ＮＯxを同時低減する反応が継続されるようにしてある。
【００３７】
そして、このディーゼルエンジン１にあっては、前記パティキュレートフィルタ１０の下流側から排気ガス３の一部を抜き出して前記ターボチャージャ１４のコンプレッサ１４ａより上流の吸気管１６へ再循環する低圧ループ２１と、排気マニホールド２から排気ガス３の一部を抜き出して吸気マニホールド１８の入口付近に再循環する高圧ループ２２とが装備されている。
【００３８】
前記低圧ループ２１及び高圧ループ２２の夫々には、排気ガス３の再循環量を調整するためのＥＧＲバルブ２３，２４（再循環量調整手段）と、再循環される排気ガス３を冷却するためのＥＧＲクーラ２５，２６が装備されており、該ＥＧＲクーラ２５，２６で冷却水と排気ガス３とを熱交換させることにより排気ガス３の温度を低下し且つその容積を小さくすることで、ディーゼルエンジン１の出力をあまり低下させずに燃焼温度を下げて効果的にＮＯxの発生を低減し得るようにしてある。
【００３９】
そして、前記各ＥＧＲバルブ２３，２４の開度が、エンジン制御コンピュータ（ＥＣＵ：Electronic Control Unit）を成す制御装置２７からの開度指令信号２３ａ，２４ａとにより制御されるようになっており、これらの制御については、アクセル開度をディーゼルエンジン１の負荷として検出するアクセルセンサ２８（負荷センサ）からのアクセル開度信号２８ａと、ディーゼルエンジン１の機関回転数を検出する回転センサ２９からの回転数信号２９ａとに基づいて以下の如く実行されるようになっている。
【００４０】
即ち、制御装置２７では、低圧ループ２１により加速時に黒煙を生じない程度に抑えたＥＧＲ率（例えば１０％程度）でベースとなる排気ガス再循環を実施し且つ高圧ループ２２では不足ＥＧＲ率分（例えば２５％程度分）を補足するべく追加の排気ガス再循環を実施して空燃比を理論空燃比近傍（空気過剰率が約１．１付近）に抑制し得るよう現在の運転状態に応じた各ＥＧＲバルブ２３，２４の開度が指示されるようになっている。
【００４１】
しかも、前記制御装置２７においては、前記アクセルセンサ２８からのアクセル開度信号２８ａと、前記回転センサ２９からの回転数信号２９ａとに基づいて、前記ディーゼルエンジン１の燃料噴射装置３０を燃料噴射指令信号３０ａにより制御し得るようになっており、前述の低圧ループ２１と高圧ループ２２とによる排気ガス再循環の実施により理論空燃比近傍まで抑制した空燃比を、メイン噴射直後の着火可能なタイミングでアフタ噴射を実施することで該アフタ噴射による未燃燃料分の増加とその一部の酸化反応による酸素消費とにより更に下げ、これにより空燃比を理論空燃比（空気過剰率が約１．０）まで下げられるようにしてある。
【００４２】
また、空燃比を理論空燃比まで下げる制御においては、吸気管１６に備えられている吸気バルブ３１が必要に応じ吸気絞り手段として併用されるようになっており、制御装置２７からの開度指令信号３１ａにより前記吸気バルブ３１が吸入空気量を絞り込むことで空燃比の低下が助勢されるようになっている。
【００４３】
更に、本形態例においては、三元触媒２０より上流側の排気管４に、該排気管４内に燃料を直接噴射するための燃料添加弁３２が燃料添加手段として備えられており、この燃料添加弁３２には、所要場所に配置された図示しない燃料タンクから燃料が供給されるようになっていて、前記制御装置２７からの燃料噴射指令信号３２ａにより前記燃料添加弁３２による燃料添加が実施されて空燃比の低下が助勢されるようになっている。
【００４４】
ここで、前記制御装置２７における空燃比を理論空燃比まで下げる制御は、例えば、総燃料噴射量とディーゼルエンジン１の機関回転数との二次元マップによりディーゼルエンジン１の運転領域を複数に分割し、その分割した各運転領域ごとに割り付けた目標値で、各ＥＧＲバルブ２３，２４、燃料噴射装置３０、吸気バルブ３１、燃料添加弁３２を制御させるようにすれば良い。
【００４５】
尚、吸気バルブ３１による吸入空気量の絞り込みと、燃料添加弁３２による燃料添加とにより空燃比の低下を助勢するようにしているのは、過剰なアフタ噴射を防止したいからであり、ピストンが下降し始めた段階でのアフタ噴射が過剰に行われると、その噴射燃料がシリンダ壁に付着してオイルに混入し、該オイルを希釈してしまう虞れがあるからである。
【００４６】
適正な吸入空気量を確保できる範囲内で吸気バルブ３１による吸入空気量の絞り込みを行えば、シリンダ壁への燃料の付着を回避できる程度のアフタ噴射に留めても、空燃比を理論空燃比まで下げることが可能となる。ただし、ディーゼルエンジン１の運転状況によっては、吸気バルブ３１による吸入空気量の絞り込みを実施した場合に、吸入空気量の不足を招く虞れがある。
【００４７】
このため、吸入空気量の不足を招く虞れがある場合には、吸気バルブ３１による吸入空気量の絞り込みを吸入空気量の不足を招かない程度に留め、燃料添加弁３２により燃料添加を実施して空燃比を理論空燃比まで下げるようにすれば良い。ただし、燃料添加弁３２による燃料添加は燃費の悪化に繋がるため、あくまでもアフタ噴射を優先して燃料添加弁３２の燃料添加を必要最小限に抑えるようにする必要があることは勿論である。
【００４８】
而して、このようにすれば、低圧ループ２１側でベースとなる排気ガス再循環が実施され、高圧ループ２２側では不足ＥＧＲ率分を補足するべく追加の排気ガス再循環が実施されるので、低圧ループ２１と高圧ループ２２の併用により高いＥＧＲ率が実現され、空燃比を理論空燃比近傍に抑制することが可能となる。
【００４９】
即ち、高圧ループ２２側で分担しなければならない排気ガス３の再循環量が高圧ループ２２の単独使用の場合よりも少なくて済み、可変ノズル式のターボチャージャ等で無理な排気ガス３の絞り込みを行わなくても、高圧ループ２２側で分担すべき量の排気ガス再循環が比較的容易に実現されることになる。
【００５０】
これまで高いＥＧＲ率で排気ガス３を再循環するのに低圧ループ２１が今まで採用されてこなかったのは、走行中に運転者によりアクセルが踏み込まれて加速状態に入った場合に、空気過剰率が急激に低下して黒煙が発生し易かったからである。
【００５１】
即ち、低圧ループ２１の場合には、ターボチャージャ１４のコンプレッサ１４ａより上流の吸気管１６へ排気ガス３が戻されるが、ここからコンプレッサ１４ａ、インタークーラ１７、吸気マニホールド１８を経てディーゼルエンジン１に到るまでの経路が長く、この長い経路に排気ガス３の混合した吸気が存在することになるため、加速時にアクセルの踏み込みに即応して燃料噴射量が増加した場合に、低圧ループ２１のＥＧＲバルブ２３を直ちに閉じても、前記長い経路中の排気ガス３混じりの吸気が全て使い切られるまで空気過剰率の低い状態が持続して黒煙が発生し易くなってしまう欠点がある。
【００５２】
これに対し、高圧ループ２２においては、吸気マニホールド１８の入口付近に排気ガス３が戻されるので、排気ガス３の混合した吸気１５は吸気マニホールド１８内にしか存在せず、加速時に燃料噴射量が増加しても、高圧ループ２２のＥＧＲバルブ２４を閉じれば、吸気マニホールド１８内の排気ガス３混じりの吸気１５が程無く使い切られて空気過剰率が早期に回復するので、加速時における黒煙の発生を回避し易いという利点がある。
【００５３】
本形態例の場合には、低圧ループ２１と高圧ループ２２とを併用し、加速時に黒煙を生じない程度に抑えたＥＧＲ率で低圧ループ２１によりベースとなる排気ガス再循環を実施しているにすぎないので、加速時に高圧ループ２２側の排気ガス３の再循環量を即時低減することで黒煙の発生を未然に回避することが可能である。
【００５４】
そして、このように低圧ループ２１と高圧ループ２２とにより多量の排気ガス３が再循環されて空燃比が理論空燃比近傍に抑制された条件下で、ディーゼルエンジン１でのメイン噴射直後の着火可能なタイミングでアフタ噴射が実施されると、該アフタ噴射による未燃燃料分の増加とその一部の酸化反応による酸素消費とにより空燃比が理論空燃比まで下げられ、ディーゼルエンジン１でも三元触媒２０を機能させてＨＣ，ＣＯ，ＮＯxの同時低減を図ることが可能となる。
【００５５】
また、本形態例においては、三元触媒２０がＨＣを吸着し得るようゼオライトやマグネシア等を触媒原料として含んでいるので、過渡運転時等に空燃比が一時的に理論空燃比より大きくなっても、三元触媒２０に吸着されているＨＣによりＨＣ，ＣＯ，ＮＯxを同時低減する反応を継続させることが可能となる。
【００５６】
更に、空燃比を理論空燃比まで下げる制御に関し、本形態例においては、ディーゼルエンジン１の運転状況に応じて燃料添加弁３２により排気管４内に燃料を直接噴射して未燃燃料分を補ったり、吸気バルブ３１により吸入空気量を絞り込んだりすることで空燃比の低下を助勢することが可能であるため、これら燃料添加弁３２及び吸気バルブ３１を適宜に併用することで過剰なアフタ噴射を回避することが可能となる。
【００５７】
更に、三元触媒２０の後段にパティキュレートフィルタ１０が備えられているので、パティキュレートフィルタ１０により排気ガス３中のパティキュレートが捕集されて除去されることになり、しかも、そのパティキュレートの堆積量が所定量に達した際に、前記燃料添加弁３２等を利用して燃料を添加すれば、この未燃の燃料が三元触媒２０を通過する間に酸化反応し、その反応熱で昇温した排気ガス３の流入により後段のパティキュレートフィルタ１０の触媒床温度が上げられてパティキュレートが強制的に燃焼除去されることになる。
【００５８】
従って、上記形態例によれば、ディーゼルエンジン１でも空燃比を理論空燃比まで下げて三元触媒２０を機能させることができるので、尿素水タンク１１（図２参照）や尿素水供給管１２（図２参照）、供給ポンプ１３（図２参照）といった付帯設備を不要とすることができて設備コストの大幅な削減を図ることができ、しかも、尿素水６の補給といった手間も省くことができて運転者の負担を著しく軽減することができる。
【００５９】
更に、過渡運転時等に空燃比が一時的に理論空燃比より大きくなっても、三元触媒２０に吸着されているＨＣにより該三元触媒２０の表面雰囲気を理論空燃比に保持してＨＣ，ＣＯ，ＮＯxを同時低減する反応を継続させることができるので、三元触媒２０のＨＣ，ＣＯ，ＮＯxを同時低減する反応の継続性を大幅に向上することができる。
【００６０】
また、ディーゼルエンジン１の運転状況に応じて燃料添加弁３２により排気管４内に燃料を直接噴射して未燃燃料分を補ったり、吸気バルブ３１により吸入空気量を絞り込んだりすることで空燃比の低下を助勢することができるので、これら燃料添加弁３２及び吸気バルブ３１を適宜に併用することで過剰なアフタ噴射を回避することができ、過剰なアフタ噴射により燃料がオイルに混入して該オイルが希釈してしまうことを防止することができる。
【００６１】
更に、排気ガス３中のパティキュレートをパティキュレートフィルタ１０により捕集して除去することができ、しかも、三元触媒２０をパティキュレートフィルタ１０の強制再生のための酸化触媒の替わりに使うことで従来通りの燃料添加によるパティキュレートフィルタ１０の再生を行うことができ、パティキュレートフィルタ１０の強制再生のための酸化触媒を新たに設けなくて済むことで全体構成のコンパクト化を図ることができる。
【００６２】
また、特に図１に示している如きパティキュレートフィルタ１０の下流側から排気ガス３の一部を抜き出して再循環させるようにすれば、再循環する排気ガス３に含まれるパティキュレート（煤分）による吸気系（コンプレッサ１４ａや吸気管１６、インタークーラ１７等）の汚損を回避することもできる。
【００６３】
尚、本発明の排気浄化装置は、上述の形態例にのみ限定されるものではなく、圧縮上死点近辺で行われるべきメイン噴射を圧縮上死点より早いタイミングで行い、気筒内への燃料の先行投入により燃料の予混合化を促進してから着火燃焼させるようにした予混合圧縮着火を併用し、ディーゼルエンジンにおける燃焼性を極力良好に保持し得るように支援させても良いこと、また、排気マニホールド直後の排気温度の高い領域の排気管に小型の三元触媒を追加装備するようにしても良いこと、その他、本発明の要旨を逸脱しない範囲内において種々変更を加え得ることは勿論である。
【符号の説明】
【００６４】
１  ディーゼルエンジン
２  排気マニホールド
３  排気ガス
４  排気管
９  酸化触媒
１０  パティキュレートフィルタ
１４  ターボチャージャ
１４ａ  コンプレッサ
１４ｂ  タービン
１５  吸気
１６  吸気管
１９  気筒
２０  三元触媒
２１  低圧ループ
２２  高圧ループ
２３  ＥＧＲバルブ（再循環量調整手段）
２４  ＥＧＲバルブ（再循環量調整手段）
２７  制御装置
３０  燃料噴射装置
３１  吸気バルブ（吸気絞り手段）
３２  燃料添加弁（燃料添加手段）
【図１】
0005774300.tif 000002
【図２】
0005774300.tif 000003